(57)【要約】【課題】液体受粉法に使用される噴霧器は専用の噴霧器がなく、市販の噴霧器が活用されているが、噴霧させるために花粉を混和した液体に高圧力をかけるため、発芽率の低下を及ぼしている。【解決手段】花粉を混和した液体を貯蔵するタンクと電源としての電池とこの電池を駆動源とするモータ及びこのモータにより駆動し空気を排出するポンプとポンプに連接されオリフィスを有した噴霧部とオリフィスに対して一定の角度で交わりタンク内に一端を開放した筒体とを有し、ポンプが空気を排出する際にオリフィス部が負圧となりタンク内の液体を吸い上げ、０．３ＭＰａ以下の圧力で空気とともに液体が噴霧部から放出することを特徴とする人工授粉用噴霧器を提供する。【選択図】  図１
2009112990.tif 000002
【特許請求の範囲】
【請求項１】
花粉を混和した液体を貯蔵するタンクと、
電源としての電池と、
前記電池を駆動源とするモータにより駆動し空気を排出するポンプと、
前記ポンプに連接されオリフィス及び噴霧口を有した噴霧部と、
前記噴霧部に対して一定の角度で交わり前記タンク内に一端を開放した筒体とを有し、
前記ポンプが空気を排出する際に前記オリフィスが負圧となり前記タンク内の液体を吸い上げ、０．３ＭＰａ未満の圧力で空気とともに液体が前記噴霧口から放出することを特徴とする人工授粉用噴霧器。
【請求項２】
前記タンクがオリフィス部近傍の小型タンクと一定の距離を置いた大型タンクとに分離され、前記大型タンクと前記小型タンクがホースで連結されるとともに、前記大型タンクから前記小型タンクへ０．３ＭＰａ未満の低圧で輸送する液体輸送ポンプを有した請求項１記載の人工授粉用噴霧器。
【発明の詳細な説明】
【技術分野】
【０００１】
本発明は、果樹の人工授粉用噴霧器に関するものである。
【背景技術】
【０００２】
近年、果樹の人工授粉において、作業性・受粉効率の向上を目的とした溶液受粉法が取り入れられている。これは花粉と液体を混和し、花粉をめしべに噴霧し人工授粉させる方法である。現状では、資材価格等の問題により広く普及されておらず、そのため専用の散布装置がなく、市販の噴霧器が活用されている。市販の噴霧器は大別して、手動式と電動式がある。以下従来の手動式及び電動式噴霧器の一例を説明する。
【０００３】
従来の手動式噴霧器を図３に示す。図３においてタンク３０１は花粉を混和した液体を貯蔵するものであり、その上方には密封状態で手押し式加圧ポンプ３０２を備えており、ピストンおよびシリンダを有してタンク内を加圧する。また安全弁３０３はタンク内の過剰な圧力を外へ逃がす弁であり、ノズル３０４は液体を噴霧する噴霧部である。連結ホース３０５はノズル３０４とタンク３０１を連結するものであり、開閉弁３０６はタンク３０１と連結ホース３０５の連通の開閉を調整する。
【０００４】
以上のように構成された従来の手動式噴霧器において、以下その動作について説明する。まず、タンク３０１内に液体を貯蔵したのち、安全弁３０３及び開閉弁３０６を閉じ、タンク３０１の密閉を保つ。その後、手押し式加圧ポンプ３０２を手動にて上下操作することによりタンク３０１内の圧力を上昇させる。タンク３０１内の液体に所定の圧力がかかった後、開閉弁３０６を開くと、液体が連結ホース３０５を通過してノズル３０４の先端から噴霧されるとともに、タンク３０１内の圧力は液体の減少とともに次第に下がっていく（例えば特許文献１参照）。
【０００５】
また、他の方法として図４に示すような電動式噴霧器がある。図４においてタンク４０１は液体を貯蔵するものであり、ポンプ４０２は液体を吸い込む吸い込み部と加圧した液体を排出する排出部を備えており、ホース４０３はポンプ４０２の吸い込み部に連結されている。またモータ４０４は前記ポンプ４０２を作動させ、スイッチ４０５はこのポンプを作動させるための電源（図示せず）をオン、オフさせるためのものであり、圧力ホース４０６はポンプ４０２によって加圧された液体をノズル（図示せず）に導くためのものである。電動式においてポンプ４０２はギヤポンプが主流である。
【０００６】
以上のように構成された従来の電動式噴霧器において、以下その動作について説明する。タンク４０１に液体を貯蔵したのち、スイッチ４０５をオンにしてモータ４０４を作動させるとポンプ４０２はホース４０３を通して液体を吸い上げ、ポンプ４０２にて加圧した液体を、圧力ホース４０６を通過して噴霧する。スイッチ４０５をオフにするとモータ４０４は作動を停止して、液体に加えられた圧力は開放される。（例えば特許文献２参照）
【特許文献１】特開２００４−６８８９３号公報
【特許文献２】特開昭５８−４４０３０号公報
【発明の開示】
【発明が解決しようとする課題】
【０００７】
しかしながら、この従来の手動式や電動式の噴霧器は、噴霧するために液体に圧力をかけるため、花粉自体にも圧力がかかる。しかも、液体は花粉の柱頭への付着を向上させるために粘性を上げているので、噴霧させるためにはより高い圧力をかける必要がある。従
来の手動式や電動式の噴霧器では噴霧に必要な圧力は０．３ＭＰａである。しかし、圧力０．３ＭＰａもかかってしまうと花粉がつぶれてしまう。また電動式の場合、液体の輸送にギヤポンプを使用しているため、圧力以外でもポンプ内を液体が通過する際にギヤの間にはさまれて花粉がつぶされる。そのため、花粉の柱頭への付着率を上げても、花粉が正常に作用せず受粉できないという課題を有していた。さらに、溶液受粉にて果樹の人工授粉をさせる場合、長時間腕を上げての作業となるので、軽量のノズルが必要である。
【課題を解決するための手段】
【０００８】
従来の課題を解決するために、花粉を混和した液体を貯蔵するタンクと電源としての電池と電池を駆動源とするモータにより駆動し空気を排出するポンプとポンプに連接されオリフィス及び噴霧口を有した噴霧部と噴霧部に対して一定の角度で交わりタンク内に一端を開放した筒体とを有した構成としている。
【０００９】
本発明のポンプが空気を排出する際にオリフィスが負圧となりタンク内の液体を吸い上げ、液体が噴霧口から放出することによりポンプ内を通過させることなく、かつ密閉状態を取らないため０．３ＭＰａの高い圧力をかけることなく噴霧できる。さらに、タンクがオリフィス部近傍の小型タンクと一定の距離を置いた大型タンクとに分離し、大型タンクと小型タンクがホースで連結されるとともに、大型タンクから小型タンクへ０．３ＭＰａ未満の低圧で輸送する液体輸送ポンプを有することにより、手元が軽量化され、作業効率を上げることが可能となる。
【発明の効果】
【００１０】
本発明によると、液体及び花粉に高圧をかけることなく、液体噴霧が可能となるので、花粉のつぶれによる発芽率の低下をおよぼすことがなくなる人工授粉に適した噴霧器となる。また、持ち手部分の軽量化により、使い勝手の良い人工授粉に適した噴霧器となる。
【発明を実施するための最良の形態】
【００１１】
以下本発明を実施するための最良の形態について、図面を参照しながら説明する。
【００１２】
（実施の形態１）
図１は本発明の実施形態１における果樹の人工授粉用噴霧器の断面図である。図１において、タンク１０１は花粉を混和した液体を貯蔵するものである。電池１０２は電源であり、モータ１０３は電池１０２を動力源として作動し、ポンプ１０４はモータ１０３により駆動され空気を排出する。スイッチ１０５は押圧している期間だけモータ１０３に電圧が印加され、ポンプ１０４を作動させる。ポンプ１０４に連接されている噴霧部１０７はオリフィス１０６と噴霧口１１１で構成され、オリフィス１０６がポンプ１０４側に配置されている。ポンプ１０４から押し出された空気はこのオリフィス１０６を通過して噴霧口１１１から放出される。本体１０８はこれら電池１０２、モータ１０３、ポンプ１０４、スイッチ１０５、オリフィス１０６及び噴霧口１１１を有した噴霧部１０７を内蔵している。本体１０８とタンク１０１は花粉を混和した液体を給水する際は取り外しできるように嵌着されており、かつタンク１０１内は密閉状態ではなく、空気の出入りが可能となっている。筒体１０９は一端が噴霧部１０７と連接され、他端はタンク１０１内に開放されている。フィルター１１０は筒体１０９のタンク１０１側に連接されており、攪拌しきれなかった花粉が筒体１０９内に侵入するのを防ぐことができる。
【００１３】
以上のように構成された果樹の人工授粉用噴霧器について、図１を用いてその動作を説明する。まずタンク１０１に花粉を混和した液体を入れた後、本体１０８と嵌着させる。次にスイッチ１０５を押圧すると電池１０２より電源が供給されモータ１０３が回転し、ポンプ１０４を作動させ空気が噴霧部１０７に有したオリフィス１０６を通過して噴霧口１１１から放出される。この空気がオリフィス１０６を通過する際に流速が速められるこ
とにより、筒体１０９が負圧となりフィルター１１０を通してタンク１０１内の液体が吸い上げられる。この際、フィルター１１０は液体に均一に混和されなかった花粉をせき止めるため、オリフィス１０６に通じる筒体１０９の一部を花粉で目詰まりさせる頻度を下げることができる。そして、吸い上げられた液体はポンプ１０４によって送られてきた空気に吹き飛ばされて噴霧口１１１から空気とともに放出される。スイッチ１０５の押圧をやめると電池１０２から電源の供給が遮断されモータ１０３の回転が止まり、噴霧も停止する。これにより、液体および花粉に高圧をかけることなく、またポンプ内に液体を通過させることがないため機械的な花粉のつぶれを防ぎ、花粉のつぶれによる発芽率の低下を防ぐという特有の効果を有する。
【００１４】
（実施の形態２）
図２は本発明の実施形態２における果樹の人工授粉用噴霧器の断面図である。図２において、人工授粉用噴霧器は本体部２０１と手元操作部２０２の大きく２部で構成されている。大型タンク２１２は花粉を混和した液体を貯蔵するものである。電池２０７は電源であり、サブモータ２０６はこの電池２０７を動力源としている。ポンプ２０５はサブモータ２０６により駆動し空気を排出する。液体輸送ポンプ２１３は大型タンク２１２に貯蔵した液体を輸送するためのものであり、メインモータ２１４は電池２０７を動力源として液体輸送ポンプ２１３を駆動する。２１６はメインスイッチであり押圧するとメインモータ２１４に電圧が印加され、液体輸送ポンプ２１３を作動させる。本体ケース２０３はこれら電池２０７、サブモータ２０６、ポンプ２０５、液体輸送ポンプ２１３及びメインモータ２１４を内蔵している。本体ケース２０３と大型タンク２１２は花粉を混和した液体を給水する際は取り外しできるように嵌着されており、かつ大型タンク２１２は密閉状態ではなく、本体ケース２０３との間で空気の出入りが可能となっている。吸い込みチューブ２１１の一端は液体輸送ポンプ２１３の吸入口につながっており他端は大型タンク２１２内にて開口している。本体部２０１は大型タンク２１２および本体ケース２０２から構成されている。
【００１５】
噴霧部２１５はオリフィス２０９と噴霧口２２１から構成されており、空気輸送チューブ２１０はポンプ２０５とオリフィス２０９を連結しており、ポンプ２０５から排出された空気はこのオリフィス２０９を通過して噴霧部２１５から放出される。サブスイッチ２０８は押圧している期間だけサブモータ２０６に電圧が印加され、ポンプ２０５を作動させる。手元ケース２２０はサブスイッチ２０８、噴霧部２１５を内蔵している。小型タンク２０４は手元ケース２２０と取り外し自在に嵌着されており、小型タンク２０４内は密閉状態ではなく、空気の出入りが可能になっている。筒体２１８の一端は噴霧部２１５に連接され、他端は小型タンク２０４内に開放されている。フィルター２２２は筒体２１８に連接されて小型タンク２０４側にあり、攪拌しきれなかった花粉が筒体２１８内に侵入するのを防ぐことができる。手元操作部２０２は手元ケース２２０及び小型タンク２０４から構成されており、ホース２１７は液体輸送ポンプ２１３の排出部と小型タンク２０４を連結させる。
【００１６】
以上のように構成された果樹の人工授粉用噴霧器について、図２を用いてその動作を説明する。まず大型タンク２１２に花粉を混和した液体を入れた後、本体２０３と嵌着する。次にメインスイッチ２１６を押圧するとメインモータ２１４が回転し、液体輸送ポンプ２１３によって大型タンク２１２から液体を吸い込みチューブ２１１を通して液体輸送ポンプ２１３内に吸い込まれ、液体がホース２１７を通じて小型タンク２０４に送られる。小型タンク２０４内に一定の液体が入ったところで、メインスイッチ２１６を切る。次にサブスイッチ２０８を押圧するとサブモータ２０６が回転し、ポンプ２０５によって空気が空気輸送チューブ２１０を通ってオリフィス２０９を通して噴霧口２２１から放出される。この空気がオリフィス２０９を通過する際に流速が速められることにより、筒体２１８部が負圧となりフィルター２２２を通して小型タンク２０４内の液体が吸い上げられる
。この際、フィルター２２２は液体に均一に混和されなかった花粉をせき止めるため、オリフィス２０９に通じる筒体２１８の一部を花粉で目詰まりする頻度を下げることができる。そして、吸い上げられた液体はポンプ２０５によって送られてきた空気に吹き飛ばされて噴霧部２１５から空気とともに放出される。サブスイッチ２０８の押圧をやめるとサブモータ２０６の回転が止まり、噴霧が停止される。このように手元操作部２０２と本体部２０１を分離して、手元操作部２０２を極力軽くすることにより操作性を向上させ、かつ液体および花粉に高圧をかけることなく発芽率の低下をおよぼすことがないという特有の効果を有する。
【実施例１】
【００１７】
（実施例１）
従来の手動式噴霧器と、本発明の果樹の人工授粉用噴霧器での噴霧後の発芽率を表１に示す。従来の手動式噴霧器としてはダイヤスプレーＮｏ．５７０を用いている。０．５％の寒天水溶液にキウイ花粉を混和し濃度０．２２５％の花粉溶液を用いた。ダイヤスプレー（Ｎｏ．５７０）の圧力０．３ＭＰａで寒天培地に噴霧したものと、実施の形態１で寒天培地に噴霧したものと比較用に花粉溶液をスポイトにて寒天培地に滴下したものを、２５度中に１時間放置して花粉の発芽率を測定した。
【００１８】
【表１】
2009112990.tif 000003
表１の結果から本発明の人工授粉用噴霧器は花粉の潰れによる発芽率の低下を防ぐ点で特有効果を示していることが判る。
【産業上の利用可能性】
【００１９】
本発明にかかる果樹の人工授粉用噴霧器は噴霧する際に液体に高圧をかけずに噴霧することが可能になるので、果樹の人工授粉用の他、消毒液などの液体も圧力をかけずに噴霧するものとして有用である。
【図面の簡単な説明】
【００２０】
【図１】本発明の実施形態１における果樹の人工授粉用噴霧器の断面図
【図２】本発明の実施形態２における果樹の人工授粉用噴霧器の断面図
【図３】従来の手動式噴霧器の構成図
【図４】従来の電動式噴霧器の構成図
【符号の説明】
【００２１】
１０１          タンク
１０２、２０７  電池
１０３          モータ
１０４、２０５  ポンプ
１０５          スイッチ
１０６          オリフィス
１０７、２１５  噴霧部
１０８          本体
１０９          筒体
１１０          フィルター
１１１          噴霧口
２０３          本体ケース
２０４          小型タンク
２０６          サブモータ
２１２          大型タンク
２１３          液体輸送ポンプ
２１４          メインモータ
２１７          ホース
【図１】
2009112990.tif 000004
【図２】
2009112990.tif 000005
【図３】
2009112990.tif 000006
【図４】
2009112990.tif 000007